(57)【要約】      （修正有）【課題】一般の自転車に用いられている走行装置の機能を、小さな力で坂道を容易走行することの出来る走行装置とする。【解決手段】従来のペダル部の歯車１と後車輪の歯車２の中間部に大小２枚の一体となった中間歯車３を設け、ペダル部の歯車１と中間歯車の大きい歯車４とチェーンで結ばれ、また中間歯車の小さい歯車５と後車輪の歯車２とが各々独立して結ばれている。  この中間歯車３の大小歯車４・５の直径の割合を変えることにより、坂道を小さな力で走行できることに役立つ。【選択図】図１
0003115936.tif 000002
【実用新案登録請求の範囲】
【請求項１】
異なった２つの独立したチェーンを有する自転車の駆動システムであって、ペダルと直結した歯車とこれを結ぶ中間の歯車に、直径の異なる２枚の歯車が一体となった中間歯車を有し、この中間歯車の直径の大きな歯車と、ペダルの歯車とが一つのチェーンで結ばれ、他の直径の小さな歯車は、後車輪の歯車とチェーンで結ばれた″坂道ラクラク自転車″である。
【請求項２】
中間歯車の大きな歯車と小さな歯車との直径の割合を変えることにより、後車輪の歯車を従来の自転車のペダルを漕ぐ力よりも小さな力で坂道を楽に走行できることを特徴とする請求項１記載の坂道ラクラク自転車である。
【請求項３】
請求項１，２の坂道ラクラク自転車では、急な坂道では、坂道走行を容易にすれば平坦地での走行のスピードが遅くなるので、請求項１，２の坂道走行ルーチンとペダル部の歯車の他の歯車と後車輪の歯車の他の歯車をチェーンで繋いだ平地走行ルーチンとを独立の構造とし、ハンドルの所で２つのルーチンを切り替えることの出来る走行装置を有する。
【請求項４】
前項の坂道走行ルーチンでは、中間歯車の大きい歯車の直径と小さい歯車の直径との割合を大きくすることにより、自転車の漕ぐ力を小さな力で坂道を走行できるし、平地走行ルーチンに切り替えれば、従来の自転車と同機能を併せ持つことの出来ることを特徴とする請求項３記載の坂道ラクラク自転車である。
【請求項５】
坂道走行ルーチンと平地走行ルーチンとの切り替えは、ペダル部の歯車と後車輪の歯車を同時に切り替えることのできる装置により切り替える場合、又は、ギア変換装置を用いて切り替える場合等の方法があることを特徴とする坂道ラクラク自転車である。
【考案の詳細な説明】
【技術の分野】
【０００１】  本考案は、一般の自転車に用いられている走行装置の機能を、小さな力で容易に坂道を走行することの出来る走行装置に関する。
【背景技術】
【０００２】  従来の自転車の走行装置の機能は、平地の走行では老若、男女共に快適に自転車走行できるものであるが、坂道の走行では、健康な人でも強力な力を要し、坂道の勾配によっては走行することすら不可能となる場合がほとんどで、容易の走行性、快適性の機能を有するものではない。
【考案の開示】
【考案が解決しようとする課題】
【０００３】  上述のごとく、従来の技術に係る一般の自転車は、平地走行に適した走行システムの機能であり、坂道のような勾配のある道路を走行するのに適した走行装置を有していることにはならず、坂道での走行は非常に難しい。このため、坂道を走行するときは、自転車から降りて力をふりしぼって自転車を押して、坂道を歩いているのが現状である。【０００４】  本考案は、このような点に鑑みて生み出されたものであり、その目的は走行装置の機能を改良し、ペダル部の歯車と後車輪の歯車の中間部分に、大小２枚の歯車を一体化した中間歯車を設けることにより、坂道のような勾配のある道路を安価で且つ容易に走行できることを可能にすることにある。
【課題を解決するための手段】
【０００５】  上述の目的を達成する本考案の坂道ラクラク自転車は、従来のペダル部の歯車１と後車輪の歯車２の中間部に大小２枚の一体となった中間歯車３を設け、ペダル部の歯車１と中間歯車の大きい歯車４とがチェーンで結ばれ、また中間歯車の小さな歯車５と後車輪の歯車２とがチェーンで各々独立して結ばれている。    この中間歯車３の大小歯車の直径の割合を２：１あるいは３：１に変えることにより、１／２，１／３の力で坂道を楽々走行することの出来る走行機能を有することを特徴とする。中間歯車３の大小の直径の割合は、坂道の勾配により自由に変えることが出来る。【０００６】  上述の走行機能を有する坂道ラクラク自転車は、急激な坂道の走行の場合、坂道を容易にすれば平地の走行を満足させることが出来なくなり、これを解決するための手段として、坂道走行ルーチンと平地走行ルーチンとをハンドル部で自由に切り替える走行装置を備えたものにする。平地走行ルーチンは、ペダル部歯車１を２枚一体となった歯車の一方の平地走行ルーチンのペダル部の歯車６と後車輪の歯車２の２枚一体となった歯車の一方の平地走行ルーチンの後車輪の歯車８とがチェーンで結ばれている。また坂道走行ルーチンは、ペダル部の歯車１の他の歯車の坂道走行ルーチンのペダル部の歯車７と中間歯車の大きい歯車４、中間歯車の小さい歯車５と後車輪の歯車２の一方歯車の坂道走行ルーチンの後車輪の歯車９とが各々チェーンで結ばれた２系統のルーチンを有する走行装置である。  すなわち、平地走行時には平地走行ルーチンに、坂道走行時には坂道走行ルーチンに自動的に切り替えが出来る機能を有する坂道ラクラク自転車である。  坂道のみの方法としては、ペダルの長さを長くするか、ペダル部の歯車を小さくすることでも可能である。
この坂道走行ルーチンと平地走行ルーチンとの切り替えには、ペダル部の歯車６、７と後車輪の歯車８，９とを同時に切り替えるギア変換装置１０で切り替える方法などを有する。
【考案の効果】
【０００７】  以上説明したように、本願考案によれば、ペダル部の歯車１と後車輪の歯車２の中間に大小２枚の一体になった中間歯車３を設けることにより、坂道走行を楽な力で老若、男女を問わず容易に走行することが可能であり、しかも安くて、安全性、環境に優しい、走行性に極めて有効である。また、坂道走行ルーチンと平地走行ルーチンとを併せ備えた走行装置では、平坦な道路、坂道のそれぞれの道路に応じた走行性、快適性を有することを特徴とする。
【考案を実施するための最良の形態】
【０００８】  以下、本考案の実施の形態を図面に基づき詳細に説明する。【０００９】  図１〜図５は、本考案の実施の形態に係り、図１は自転車の外観透視図、図２は本考案の歯車の相互の関係を示す側面図、図３〜図５は平面図である。【００１０】  図１は、従来の自転車に、中間歯車３を設けることにより坂道を楽々走行できるものにしたものの取付け位置を表示したものである。【００１１】  この中間歯車３は、２枚の一体となった歯車で構成されていて、この２枚の歯車は大きい歯車４と小さい歯車５と直径の異なる歯車を有している。図３に示しているように、大きい歯車４はペダル部の歯車１とチェーンで連結され、小さい歯車５は後車輪の歯車２とチェーンで連結されている。【００１２】  大きい歯車４と小さい歯車５のおのおのの直径の割合を変えることにより、坂道の勾配に楽々走行できる機能を有している。【００１３】  急な坂道の多い地域には、大きい歯車４の直径と小さい歯車５の直径の割合を３：１にすることにより、従来の自転車のペダルをこぐ力の１／３の小さな力で坂道を走行できる。一方、緩やかな坂道の多い地域では、それぞれの割合を２：１にすることも可能である。このように中間歯車の大きい歯車４と小さい歯車５との割合は、坂道の勾配の程度により２：１、３：１に設定することが出来る。【００１４】  上記より急な坂道を走行する必要がある場所では、中間歯車３だけでは対処できない場合には、図５に示すように、平地走行ルーチンと坂道走行ルーチンとを別々の独立したルーチンにしてハンドル部のレバー操作によって、自動的に切り替えることの出来る機能を備えたものである。【００１５】  坂道走行から平地走行になった場合、自転車の走行スピードがおち、スピードにものたりなさを感じる人は、切り替えレバーで平地走行ルーチンに切り替えれば、従来の自転車と同様の軽快さを感じることが出来る。【００１６】  小さい歯車５をペダル部の歯車１と同じ直径にし、大きい歯車４の直径を１．５倍、２倍にすることにより、坂道を楽々走れるのはもとより、平地走行も従来の自転車と同じ走行スピードを得ることも可能である。このように各部の歯車の直径、各歯車間のチェーンの結び方により種々な機能を持った自転車に変えることのできることに特徴を有する。
【図面の簡単な説明】
【００１７】
【図１】  本考案の第一の実施の形態に係る坂道ラクラク自転車の外観透視図である。
【図２】  図１の坂道ラクラク自転車の各歯車間の関係を示す側面図である。
【図３】  図２の坂道走行ルーチンの平面図である。
【図４】  平地走行ルーチンの平面図である。
【図５】  平地走行ルーチンと坂道走行ルーチンを備えた坂道ラクラク自転車の歯車の平面図である。
【符号の説明】
【００１８】  １．    ペダル部の歯車
２．    後車輪の歯車
３．    中間歯車
４．    中間歯車部の大きい歯車
５．    中間歯車部の小さい歯車
６．    平地走行ルーチンのペダル部の歯車
７．    坂道走行ルーチンのペダル部の歯車
８．    平地走行ルーチンの後車輪の歯車
９．    坂道走行ルーチンの後車輪の歯車
１０．    ギア変換装置
【図１】
0003115936.tif 000003
【図２】
0003115936.tif 000004
【図３】
0003115936.tif 000005
【図４】
0003115936.tif 000006
【図５】
0003115936.tif 000007
【手続補正書】
【提出日】平成17年8月2日(2005.8.2)
【手続補正１】
【補正対象書類名】実用新案登録請求の範囲
【補正対象項目名】全文
【補正方法】変更
【補正の内容】
【実用新案登録請求の範囲】
【請求項１】
異なった２つの独立したチェーンを有する坂道走行容易型自転車であって、ペダルと直結した歯車とこれを結ぶ中間の歯車に、直径の異なる２枚の歯車が一体となった中間歯車を有し、この中間歯車の直径の大きな歯車と、ペダルの歯車とが一つのチェーンで結ばれ、他の直径の小さな歯車は、後車輪の歯車とチェーンで結ばれたことを特徴とする坂道走行容易型自転車。
【請求項２】
請求項１記載の坂道走行容易型自転車において、
中間歯車の大きな歯車と小さな歯車との直径の割合を変えることにより、後車輪の歯車を自転車のペダルを漕ぐ力よりも小さな力で坂道を楽に走行できることを特徴とする坂道走行容易型自転車。
【請求項３】
請求項１又は２記載の坂道走行容易型自転車において、
急な坂道では、坂道走行を容易にすれば平坦地での走行のスピードが遅くなるので、坂道走行ルーチンとペダル部の歯車の他の歯車と後車輪の歯車の他の歯車をチェーンで繋いだ平地走行ルーチンとを独立の構造とし、ハンドルの所で２つのルーチンを切り替えることの出来る走行装置を有することを特徴とする坂道走行容易型自転車。
【請求項４】
請求項３記載の坂道走行容易型自転車において、
前記坂道走行ルーチンでは、中間歯車の大きい歯車の直径と小さい歯車の直径との割合を大きくすることにより、自転車の漕ぐ力を小さな力で坂道を走行でき、平地走行ルーチンに切り替えることにより、従来の自転車と同機能を併せ持つことの出来ることを特徴とする坂道走行容易型自転車。
【手続補正３】
【補正対象書類名】明細書
【補正対象項目名】０００１
【補正方法】変更
【補正の内容】
【０００１】  本考案は、一般の自転車に用いられている走行装置の機能を改良し、小さな力で容易に坂道を走行することの出来る坂道走行容易型自転車に関する。
【手続補正４】
【補正対象書類名】明細書
【補正対象項目名】０００５
【補正方法】変更
【補正の内容】
【０００５】  上述の目的を達成するため、本考案の坂道走行容易型自転車である坂道ラクラク自転車は、従来のペダル部の歯車１と後車輪の歯車２の中間部に大小２枚の一体となった中間歯車３を設け、ペダル部の歯車１と中間歯車の大きい歯車４とがチェーンで結ばれ、また中間歯車の小さな歯車５と後車輪の歯車２とがチェーンで各々独立して結ばれている。この中間歯車３の大小歯車の直径の割合を２：１あるいは３：１に変えることにより、１／２，１／３の力で坂道を楽々走行することの出来る走行機能を有することを特徴とする。中間歯車３の大小の直径の割合は、坂道の勾配により自由に変えることが出来る。